Podtech/llm-jp-corpus-v4-ja_patent huggingface dataset:
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
対象者のボリュームをイメージングするようにプローブを制御する制御装置であって、前記イメージングすることが、複数の走査ラインパターンに従って超音波信号を送信及び受信することを含む、制御装置と、
前記プローブと通信する１つ又は複数のプロセッサと、
を備え、
前記１つ又は複数のプロセッサが、
受信された前記超音波信号から複数の画像データセットを生成することであって、各前記画像データセットが、前記走査ラインパターンのうちの１つに対応する、生成することと、
前記ボリューム内における物体に特有な対象特性を選択することと、
前記ボリューム内における前記物体に特有な前記対象特性に関して前記画像データセットを評価することと、
前記対象特性を含む画像データセットを特定することと、
前記ボリュームの後続のイメージングのために、特定された前記画像データセットに対応する前記走査ラインパターンを選択することと、
を行う、
超音波イメージングシステム。
【請求項２】
前記対象特性が、画像品質閾値を満たす前記物体の特性である、
請求項１に記載の超音波イメージングシステム。
【請求項３】
前記対象特性が、前記物体に特有な特徴の強度レベルである、
請求項２に記載の超音波イメージングシステム。
【請求項４】
前記物体が肺であり、前記特徴が胸膜ラインである、
請求項３に記載の超音波イメージングシステム。
【請求項５】
前記対象特性が、前記物体に特有な特徴の存在である、
請求項１に記載の超音波イメージングシステム。
【請求項６】
前記物体が肺であり、前記特徴が、胸膜ラインの深さの複数の距離における複数のＡラインである、
請求項５に記載の超音波イメージングシステム。
【請求項７】
前記走査ラインパターンが、画像面に対応する、
請求項１に記載の超音波イメージングシステム。
【請求項８】
前記対象特性が、前記物体に特有な特徴の長さ又は面積を含む、
請求項１に記載の超音波イメージングシステム。
【請求項９】
前記制御装置が、さらに、前記プローブの動きの検出時に前記複数の走査ラインパターンに従って前記超音波信号を再送信及び受信することにより、前記対象者の前記ボリュームをイメージングするように前記プローブを制御する、
請求項１に記載の超音波イメージングシステム。
【請求項１０】
前記プローブをさらに備え、前記プローブが、マトリックスプローブであり、前記送信することが、前記超音波信号を電子的に操縦することを含む、
請求項１に記載の超音波イメージングシステム。
【請求項１１】
前記プローブをさらに備え、前記プローブが、１Ｄアレイプローブであり、前記送信することが、前記超音波信号を機械的に掃引することを含む、
請求項１に記載の超音波イメージングシステム。
【請求項１２】
、特定された前記画像データセットに対応する、前記走査ラインパターンを介して取得された前記物体の画像を、前記複数の走査ラインパターンのうちの他の走査ラインパターンを介して取得された画像を表示せずに表示するディスプレイスクリーンをさらに備える、
請求項１に記載の超音波イメージングシステム。
【請求項１３】
前記制御装置が、選択された前記走査ラインパターンに従ってリアルタイムで画像を取得するように前記プローブを自動的に制御し、前記超音波イメージングシステムが、リアルタイムの画像を表示するディスプレイスクリーンをさらに備える、
請求項１に記載の超音波イメージングシステム。
【請求項１４】
前記物体が、腎臓、心臓、血管、又は内部空洞を含む、
請求項１に記載の超音波イメージングシステム。
【請求項１５】
対象者のボリュームをイメージングするようにプローブを制御するステップであって、前記イメージングすることが、複数の走査ラインパターンに従って超音波信号を送信及び受信することを有する、制御するステップと、
受信された前記超音波信号から複数の画像データセットを生成するステップであって、各前記画像データセットが、前記走査ラインパターンのうちの１つに対応する、生成するステップと、
前記ボリューム内における物体に特有な対象特性を選択するステップと、
前記ボリューム内における前記物体に特有な前記対象特性に関して前記画像データセットを評価するステップと、
前記対象特性を含む画像データセットを特定するステップと、
前記ボリュームの後続のイメージングのために、特定された前記画像データセットに対応する前記走査ラインパターンを選択するステップと、
を有する方法。
【請求項１６】
前記対象特性が、画像品質閾値を満たす前記物体の特性である、
請求項１５に記載の方法。
【請求項１７】
前記対象特性が、前記物体に特有な特徴の強度レベルである、
請求項１６に記載の方法。
【請求項１８】
前記対象特性が、前記物体に特有な特徴の存在である、
請求項１５に記載の方法。
【請求項１９】
前記物体が肺であり、前記特徴が、胸膜ラインの深さの複数の距離における複数のＡラインである、
請求項１８に記載の方法。
【請求項２０】
１つ又は複数のプロセッサにより実行されたとき、超音波イメージングシステムが請求項１５から２０のいずれか一項に記載の方法を実施させる命令を含む、非一時的なコンピュータ可読媒体。
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
コーンビーム型コンピュータ断層撮影における患者の動き補正方法であって、
Ｘ線源およびＸ線検出器を含むＸ線撮影手段を使用して、撮影される患者の一連のＸ線投影画像を取得するステップと、
前記Ｘ線投影画像を取得する間の前記Ｘ線源および前記Ｘ線検出器の空間位置および向きを記述する、投影配置構造の初期推定、を定義するステップと、
前記Ｘ線投影画像および前記投影配置構造の初期推定を使用して、中間ＣＢＣＴ再構成を計算するステップと、
前記Ｘ線投影画像と、前記投影配置構造の初期推定と、前記中間ＣＢＣＴ再構成とに基づいて、前記投影配置構造の初期推定のための、投影画像に固有な補正幾何学的変換を求めるステップと、
前記Ｘ線投影画像と、前記求められた補正幾何学的変換に対応する投影配置構造の補正された推定とを使用して、最終的なＣＢＣＴ再構成を計算するステップと、
を含む、患者の動き補正方法において、
前記投影配置構造の初期推定のための前記補正幾何学的変換が、前記Ｘ線投影画像を取得する間の前記Ｘ線源および前記Ｘ線検出器の前記空間位置および前記向きに対応する、投影画像に固有な回転座標系、において求められることを特徴とする、
患者の動き補正方法。
【請求項２】
２本の垂直軸を、前記Ｘ線検出器のピクセルアレイに一致するように設定し、かつ第３の垂直軸を、前記Ｘ線検出器のピクセルアレイの法線に一致するように設定することによって、前記投影画像に固有な回転座標系が定義される、請求項１に記載の方法。
【請求項３】
前記回転座標系における幾何学的変換を前記投影配置構造の初期推定に適用することによって得られた再投影されたデジタル再構成Ｘ線写真に基づいて、前記投影配置構造の初期推定のための、前記投影画像に固有な補正幾何学的変換を求めるステップ、をさらに含む、請求項１または請求項２に記載の方法。
【請求項４】
前記Ｘ線投影画像と、前記中間ＣＢＣＴ再構成の対応する再投影されたデジタル再構成Ｘ線写真との間の最大類似性を見つけることによって、前記補正幾何学的変換が求められる、請求項１から請求項３のいずれか１項に記載の方法。
【請求項５】
固定座標系における正味の変換が計算され、前記回転座標系において求められた前記補正幾何学的変換から差し引かれる、請求項１から請求項４のいずれか１項に記載の方法。
【請求項６】
前記投影画像に固有な幾何学的変換を前記回転座標系から固定座標系にマッピングしてそれらの平均をとることによって、前記固定座標系における正味の変換が計算され、前記固定座標系から前記回転座標系にマッピングした後、前記平均が前記幾何学的変換から差し引かれる、請求項１から請求項５のいずれか１項に記載の方法。
【請求項７】
前記中間ＣＢＣＴ再構成を計算する前記ステップと、前記補正幾何学的変換を求める前記ステップとが、複数回繰り返され、各繰り返し後の補正された投影配置構造の推定が、次の繰り返しの投影配置構造の新たな初期推定の役割を果たし、最後の補正された投影配置構造の推定が、最後に適用された繰り返しの補正された投影配置構造の推定に対応する、請求項１から請求項６のいずれか１項に記載の方法。
【請求項８】
計算装置において実行されたときに、先行する請求項１から請求項７のいずれか１項に記載の方法を実行するように構成されているコンピュータプログラムコード、を備えたコンピュータプログラム。
【請求項９】
コンピュータプログラムを実行するように構成されている少なくとも１つのプロセッサ（１１２）と、
コンピュータプログラムおよび関連データを記憶するように構成されている少なくとも１つのメモリ（１１３）と、
を備えた装置において、
前記装置が、医療用撮影装置に接続可能であり、かつ、請求項１から請求項７のいずれか１項に記載の方法を実行するように構成されていることを特徴とする、
装置。
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
患者の体内に埋込物を導入するための埋込針（１）であって、
埋込物を受容するように構成され、中空の針本体（２）内に設けられた受容部と、
テーパー形状の先端部（３）と
を備え、前記テーパー形状の先端部（３）は、
中空の前記針本体（２）の第１の外周面（１５）に連続し、第１の非切刃として設けられた第１の傾斜面（１４ａ）と、
中空の前記針本体（２）の第２の外周面（１７）に連続し、第２の非切刃として設けられた第２の傾斜面（１６ａ）と、
前記針本体（２）の長手方向軸（１３）および刃先（１０）に対して対称であり、ともに切刃が設けられた一対の鋭利面（９ａ、９ｂ）と
をさらに備え、
前記第１の傾斜面（１４ａ）は第１の側面（１４ｂ）を備え、前記第２の傾斜面（１６ａ）は第２の側面（１６ｂ）を備え、前記第１の側面（１４ｂ）は、前記刃先（１０）と第１の距離をおいて設けられ、前記第２の側面（１６ｂ）は、前記刃先（１０）と、前記第１の距離と異なる第２の距離をおいて設けられた、埋込針（１）。
【請求項２】
前記鋭利面（９ａ、９ｂ）の両方が、前記刃先（１０）に連続した平坦な先端部（１９）内の非傾斜面として設けられた、請求項１に記載の埋込針（１）。
【請求項３】
前記第１の側面および前記第２の側面（１４ｂ、１６ｂ）の少なくとも１つが、前記鋭利面（９ａ、９ｂ）の１つに連続している、請求項１または２に記載の埋込針（１）。
【請求項４】
少なくとも１つの前記側面（１４ｂ、１６ｂ）が、前記鋭利面（９ａ、９ｂ）の１つの前記切刃に連続している、請求項３に記載の埋込針（１）。
【請求項５】
前記第１および前記第２の側面（１４ｂ、１６ｂ）の少なくとも別の１つが非鋭利面に連続しており、前記非鋭利面はさらには、前記切刃を有する前記鋭利面（９ａ、９ｂ）に連続している、請求項１〜４のいずれか１項に記載の埋込針（１）。
【請求項６】
前記第１および前記第２の側面（１４ｂ、１６ｂ）の少なくとも１つについて、前記第１外周面、前記第２の外周面（１５、１７）が外向きに曲げられている、請求項１〜５のいずれか１項に記載の埋込針（１）。
【請求項７】
前記鋭利面（９ａ、９ｂ）の少なくとも１つについて、前記切刃が外側エッジに設けられた、請求項１〜６のいずれか１項に記載の埋込針（１）。
【請求項８】
前記第１の側面および前記第２の側面（１４ｂ、１６ｂ）の両方が、パンチ曲げ構成品として設けられた、請求項１〜７のいずれか１項に記載の埋込針（１）。
【請求項９】
前記第１の側面および前記第２の側面（１４ｂ、１６ｂ）の少なくとも１つが、前記刃先（１０）に対して遠位側の平坦部（１８）に隣接して設けられた、請求項１〜８のいずれか１項に記載の埋込針（１）。
【請求項１０】
前記鋭利面（９ａ、９ｂ）の両方が、前記刃先（１０）に連続した平坦な先端部（１９）内の非傾斜面として設けられ、前記平坦部（１８）が、平坦な先端部（１９）に連続している、請求項９に記載の埋込針（１）。
【請求項１１】
前記受容部が、前記針本体（２）を通って延在する凹部を備える、請求項１〜１０のいずれか１項に記載の埋込針（１）。
【請求項１２】
前記中空針本体（２）が、丸い断面および卵形状の断面の一方を有している、請求項１〜１１のいずれか１項に記載の埋込針（１）。
【請求項１３】
前記テーパー形状の先端部（３）が、平坦部（１８）を備えている、請求項１〜１２のいずれか１項に記載の埋込針（１）。
【請求項１４】
当該複数の非切刃の１つまたは複数が、曲線的なエッジとして設けられた、請求項１〜１３のいずれか１項に記載の埋込針（１）。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
フィルタ処理された超音波画像を生成するための方法であって、前記方法は、
超音波トランスデューサアレイからチャネルデータを取得するステップと、
第１のアポダイゼイション関数を使用して前記チャネルデータから第１の画像データを生成するステップと、
第２のアポダイゼイション関数を使用して前記チャネルデータから第２の画像データを生成するステップと、
前記第１の画像データ及び前記第２の画像データに最小化関数を適用するステップと、
最小化された前記第１の画像データ及び前記第２の画像データに基づいて第３の画像データを生成するステップと、
前記第１の画像データ及び前記第３の画像データに基づいて、前記フィルタ処理された超音波画像を生成するステップとを有する、方法において、
前記第２のアポダイゼイション関数がヌルフィルタを含み、
前記フィルタ処理された超音波画像を生成するステップが、
前記第１の画像データのピクセル値から前記第３の画像データのピクセル値を減算し、それにより、フィルタ処理されたピクセルを生成するステップと、
前記フィルタ処理されたピクセルを使用して、前記フィルタ処理された超音波画像を構成するステップと
を有することを特徴とする、方法。
【請求項２】
前記最小化関数が、
前記第１の画像データと前記第２の画像データとを比較することと、
前記第１の画像データからのピクセルと前記第２の画像データからのピクセルとの各ペアについて、前記比較することに基づいて最小ピクセル値をもつピクセルを選択することと
を含む、請求項１に記載の方法。
【請求項３】
前記第３の画像データを生成するステップが、
選択された前記ピクセルを使用して前記第３の画像データを構成するステップ
を有する、請求項２に記載の方法。
【請求項４】
前記方法が、前記フィルタ処理された超音波画像に対して対数圧縮を実施するステップをさらに有する、請求項１から３のいずれか一項に記載の方法。
【請求項５】
前記方法が、前記フィルタ処理された超音波画像に対して対数圧縮を実施するステップの後に、
前記第１の画像データに空間ローパスフィルタを適用するステップと、
前記フィルタ処理された超音波画像に空間ローパスフィルタを適用するステップと、
前記第１の画像データから前記空間ローパスフィルタ処理された第１の画像データを減算することによって、前記第１の画像データの細部成分を生成するステップと、
前記第１の画像データの前記細部成分を、前記空間ローパスフィルタ処理されたバージョンの前記フィルタ処理された超音波画像と組み合わせるステップと
をさらに有する、請求項４に記載の方法。
【請求項６】
前記第１のアポダイゼイション関数が矩形関数を含む、請求項１から５のいずれか一項に記載の方法。
【請求項７】
前記第２のアポダイゼイション関数のスケーリング因子が可変である、請求項１から６のいずれか一項に記載の方法。
【請求項８】
前記方法が、前記第１の画像データ及び前記第２の画像データにＤＡＳビームフォーミングを適用するステップをさらに有し、前記ＤＡＳビームフォーミングが、
前記第１の画像データを生成するステップ及び前記第２の画像データを生成するステップの前に、前記チャネルデータを遅延させることと、
前記第１の画像データを生成するステップ及び前記第２の画像データを生成するステップの後に、それぞれ、前記第１の画像データを加算すること、及び前記第２の画像データを加算することと
を含む、請求項１から７のいずれか一項に記載の方法。
【請求項９】
前記方法が、前記第１の画像データ及び前記第２の画像データにエンベロープ検出を適用するステップをさらに有する、請求項１から８のいずれか一項に記載の方法。
【請求項１０】
コンピュータ上で実行されたとき、請求項１から９のいずれか一項に記載の方法を実施するコンピュータプログラムコード手段を備える、コンピュータプログラム。
【請求項１１】
超音波システムにおいてフィルタ処理された超音波画像を生成するためのコントローラであって、前記コントローラは、超音波トランスデューサアレイに結合され、
前記超音波トランスデューサアレイからチャネルデータを取得することと、
第１のアポダイゼイション関数を使用して前記チャネルデータから第１の画像データを生成することと、
第２のアポダイゼイション関数を使用して前記チャネルデータから第２の画像データを生成することと、
前記第１の画像データ及び前記第２の画像データに最小化関数を適用することと、
最小化された前記第１の画像データ及び前記第２の画像データに基づいて第３の画像データを生成することと、
前記第１の画像データ及び前記第３の画像データに基づいて、前記フィルタ処理された超音波画像を生成することとを行う、コントローラにおいて、
前記第２のアポダイゼイション関数がヌルフィルタを含み、
前記フィルタ処理された超音波画像の生成中に、前記コントローラが、さらに、
前記第１の画像データのピクセル値から前記第３の画像データのピクセル値を減算し、それにより、フィルタ処理されたピクセルを生成することと、
前記フィルタ処理されたピクセルを使用して、前記フィルタ処理された超音波画像を構成することと
を行うことを特徴とする、コントローラ。
【請求項１２】
どのチャネルデータが取得されるかに基づいて超音波信号を放射及び受信することが可能である、超音波トランスデューサアレイと、
受信された前記超音波信号を超音波画像になるように集約するための信号プロセッサと、
請求項１１に記載のコントローラと、
前記フィルタ処理された超音波画像を出力するための画像出力デバイスと
を備える、超音波システム。
【請求項１３】
前記第２のアポダイゼイション関数を変更する、フィルタ設計プロセッサをさらに備える、請求項１２に記載の超音波システム。
【手続補正書】
【提出日】令和3年2月4日(2021.2.4)
【手続補正１】
【補正対象書類名】特許請求の範囲
【補正対象項目名】請求項２０
【補正方法】変更
【補正の内容】
【請求項２０】
距離測定、とりわけ、交通技術における距離測定；位置測定、とりわけ、交通技術における位置測定；エンターテイメントの用途；セキュリティの用途；ヒューマンマシンインターフェースの用途；トラッキングの用途；ロジスティクスの用途；マシンビジョンの用途；安全の用途；監視の用途；データ収集の用途；スキャニングの用途、写真撮影の用途；イメージングの用途、またはカメラの用途；少なくとも１つの空間のマップを発生させるためのマッピングの用途からなる群から選択された使用の目的のための、検出器（１１０）を参照する請求項１から１３のいずれか一項に記載の検出器（１１０）の使用。
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
容器の封止領域の欠陥を検出し監視する方法であって、
０．０１μｍ〜１４μｍの範囲の波長で動作する少なくとも１つの撮像カメラを使用して、容器の封止領域の少なくとも一部の撮像を、充填材料で容器を充填する前、充填中、および／または充填後であって、かつ、容器の封止が完了する前に行うステップと、
撮像から得られた少なくとも１つのフレームに基づいて、封止領域の少なくとも一部における欠陥を識別するステップとを含む、方法。
【請求項２】
前記撮像が、８μｍ〜１４μｍ（ＬＷＩＲ）、３μｍ〜５．４μｍ（ＭＷＩＲ）、１μｍ〜３μｍ（ＳＷＩＲ）、０．９μｍ〜１．７μｍ（ＮＩＲ）、またはそれらの任意の組み合わせの範囲、好ましくは８μｍ〜１４μｍ（ＬＷＩＲ）または３μｍ〜５．４μｍ（ＭＷＩＲ）、１μｍ〜３μｍの範囲、より好ましくは８μｍ〜１４μｍ（ＬＷＩＲ）の範囲、の赤外線（ＩＲ）波長で行われ、
または、前記撮像は、０．４μｍ〜０．７６μｍの範囲の波長で行われる、請求項１に記載の方法。
【請求項３】
前記欠陥が、汚染、切断、変形、バルク、温度のばらつき、またはそれらの任意の組み合わせであり、
好ましくは、前記欠陥は、前記充填材料による前記封止領域の少なくとも一部の汚染であり、
好ましくは、前記撮像は、前記容器に充填材料を充填した後に行われる、請求項１または２に記載の方法。
【請求項４】
前記方法は、前記容器の封止が完了した後に、前記封止領域の少なくとも一部を３μｍ〜１４μｍの範囲の波長で第２の撮像を行うことをさらに含み、
好ましくは、前記第２の撮像は、８μｍ〜１４μｍの波長で行われ、
前記封止領域における前記欠陥の識別は、前記封止領域の前記第２の撮像にさらに基づく、請求項１〜３のいずれかに記載の方法。
【請求項５】
前記撮像が、０．０１μｍ〜０．４μｍ（ＵＶ）の範囲の波長で少なくとも封止領域を撮像することをさらに含む、請求項１〜４のいずれかに記載の方法。
【請求項６】
容器が、キャニスタ、ブリスターパッケージ、チューブ、ヒートシールバッグ、パウチ、サッシェ、ボトル、またはそれらの任意の組み合わせからなる群から選択され、
好ましくは、前記容器がチューブである、請求項１〜５のいずれかに記載の方法。
【請求項７】
充填材料が、液体、ペースト、クリーム、発泡体、またはそれらの任意の組み合わせからなる群から選択される、請求項１〜６のいずれかに記載の方法。
【請求項８】
前記容器の画像形成の前に、前記容器の少なくとも前記封止領域を加熱することによって、前記封止領域と前記充填材料との間の画像コントラストを増加させることをさらに含み、
好ましくは、前記封止領域の加熱は、前記封止領域に熱風を吹き付けることを含む、請求項１〜７のいずれかに記載の方法。
【請求項９】
前記封止領域の加熱は、前記容器に前記充填材料を充填する前、充填中、または充填後に行われる、請求項７または８に記載の方法。
【請求項１０】
撮像の前に容器の少なくとも封止領域を冷却し、それによって封止領域と充填材料との間の画像コントラストを増加させることをさらに含み、
好ましくは、前記封止領域の冷却は、前記封止領域に冷気を吹き付けることを含む、請求項１〜９のいずれかに記載の方法。
【請求項１１】
前記画像形成の前に前記充填材料を加熱または冷却することをさらに含み、それによって、前記封止領域と前記充填材料との間の画像コントラストを増加させ、
好ましくは、前記充填材料の加熱または冷却は、前記容器に前記充填材料を充填する前、充填中、または充填後に行われる、請求項１〜１０のいずれかに記載の方法。
【請求項１２】
前記容器の充填中または充填後に、前記封止領域を照明し、それによって、前記封止領域と前記充填材料との間の画像コントラストを増加させることをさらに含み、
または、前記容器の封止は、ヒートシールを含む、請求項１〜１１のいずれかに記載の方法。
【請求項１３】
容器に充填材料を充填するための充填ステーションと、容器を封止するための封止ステーションとを少なくとも含む包装ラインを備えた包装システムであって、
前記充填ステーションは、０．０１μｍ〜１４μｍの範囲の波長で動作する第１の撮像カメラであって、充填材料で容器を充填する前、充填中、および／または充填材料で容器を充填した後、かつ、容器の封止が完了する前に、容器の封止領域の少なくとも一部の撮像を可能にするように配置および構成された第１の撮像カメラを備え、
前記包装システムは、前記第１の撮像カメラから得られた画像に基づいて、封止領域内の欠陥を識別するように構成されたプロセッサをさらに含む、包装システム。
【請求項１４】
前記第１の撮像カメラによる撮像は、８μｍ〜１４μｍ（ＬＷＩＲ）、３μｍ〜５．４μｍ（ＭＷＩＲ）、１μｍ〜３μｍ（ＳＷＩＲ）、０．９μｍ〜１．７μｍ（ＮＩＲ）の範囲、またはそれらの任意の組み合わせ、好ましくは８μｍ〜１４μｍ（ＬＷＩＲ）または３μｍ〜５．４μｍ（ＭＷＩＲ）、１μｍ〜３μｍの範囲、より好ましくは８μｍ〜１４μｍ（ＬＷＩＲ）の範囲、の赤外線（ＩＲ）波長で実行され、
または、前記第１の撮像カメラによる撮像は、０．４μｍ〜０．７６μｍの範囲の波長で実行される、請求項１３に記載の包装システム。
【請求項１５】
前記封止ステーションが第２のカメラを含み、前記第２のカメラによる撮像は、３μｍ〜１４μｍの範囲の波長で実行され、前記第２のカメラは前記容器の封止が完了した後に、前記容器の封止領域の少なくとも部分撮像を可能にするように配置され、構成され、
好ましくは、前記第２の撮像カメラによる撮像は、８μｍ〜１４μｍの範囲の波長で実行され、
前記プロセッサは、前記第１および第２のカメラから得られた画像の統合分析に基づいて、前記封止領域内の欠陥を識別するように構成される、請求項１３または１４に記載の包装システム。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
電子鼻の較正方法であって、
前記電子鼻は、表面に配置され、対象ガス状媒体と接触可能な複数の光学センサを備え、
前記光学センサは、光子によって励起されたときに前記対象ガス状媒体の局所的な光学的指標を表す信号を配信可能であり、
前記方法は、初期圧力Ｐ０および初期温度Ｔ０で対象ガス状媒体に前記電子鼻を配置した後、
ａ）前記光学センサの方向に光子を放射して前記光学センサを励起するステップと、
ｂ）光学センサと同数の応答が得られ、各々の前記光学センサによって配信された前記信号を測定するステップと、
ｃ）前記対象ガス状媒体の圧力および／または温度を変更するステップと、
ｄ）ステップｂ）を繰り返すステップと、
ｅ）各センサについて、補正係数によって補正され、ステップｄ）とステップｂ）との間に存在する信号の変動が、基準としてのこれらの同じステップ間の信号の変動と同じまたは実質的に等しいように前記補正係数を決定するステップと、
を含み、前記基準は、基準センサ、または基準センサの組み合わせによって提供される、
ことを特徴とする電子鼻の較正方法。
【請求項２】
ステップａ）の前に、前記対象ガス状媒体の前記初期圧力Ｐ０および／または前記初期温度Ｔ０が決定される、
請求項１に記載の電子鼻の較正方法。
【請求項３】
ステップｂ）またはステップｄ）で実行される前記測定が、０．１秒から６０分の間の期間にわたって実行され、次いで平均化される、
請求項１または２に記載の電子鼻の較正方法。
【請求項４】
ステップｅ）を実施する前に、Ｎを１以上の自然数としてステップｃ）およびステップｄ）がＮ回繰り返され、前記対象ガス状媒体の圧力および／または温度は、既に測定が行われている前記対象ガス状媒体の圧力および／または温度とは異なる、
請求項１〜３のいずれか一項に記載の電子鼻の較正方法。
【請求項５】
ステップｃ）において、前記対象ガス状媒体の前記圧力および／または温度が別の既知の値に修正される、
請求項１〜４のいずれか一項に記載の電子鼻の較正方法。
【請求項６】
ステップｃ）において、
・前記対象ガス状媒体の前記圧力は、＋１０ｍｂａｒ以上＋２ｂａｒ以下、または−９００ｍｂａｒ以上−１０ｍｂａｒ以下の値に修正され、
および／または、
・前記対象ガス状媒体の前記温度は、＋１℃以上＋１００℃以下、または−５０℃以上−１℃以下の値に修正される、
請求項１〜５のいずれか一項に記載の電子鼻の較正方法。
【請求項７】
ステップｅ）の直前に、前記ガス状媒体の前記圧力および／または温度を初期圧力Ｐ０および／または初期温度Ｔ０に変更することからなる追加のステップが実施される、
請求項５または６に記載の電子鼻の較正方法。
【請求項８】
前記光学センサは、プラズモン効果センサ、または、屈折率測定法により動作可能なセンサから選択される、
請求項１〜７のいずれか一項に記載の電子鼻の較正方法。
【請求項９】
電子鼻の較正方法であって、
前記電子鼻は、表面に配置されるとともに対象ガス状媒体と接触可能な複数の光学センサを備え、
前記光学センサは、光子によって励起されたときに前記対象ガス状媒体の局所的な光学的指標を表す信号を配信可能であり、
前記較正方法は、初期圧力Ｐ０および初期温度Ｔ０で対象ガス状媒体に前記電子鼻を配置した後に、
Ａ）前記対象ガス状媒体の前記初期圧力Ｐ０および前記初期温度Ｔ０を決定するステップと、
Ｂ）前記光学センサの方向に光子を放出して前記光学センサを励起するステップと、
Ｃ）各々の前記光学センサによって配信される前記信号を測定し、前記光学センサと同数の応答を提供するステップと、
Ｄ）前記対象ガス状媒体の前記圧力および／または温度を別のまたは他の既知の値に修正するステップと、
Ｅ）ステップＣ）を繰り返すステップと、
Ｆ）各々の前記光学センサについて、ステップＣ）およびステップＥ）で行われた測定を用いて、前記対象ガス状媒体の光学的指標の変化を計算するステップと、
を含むことを特徴とする電子鼻の較正方法。
【請求項１０】
ステップＡ）の前に、前記ガス状媒体の前記圧力および／または温度が所定の値に調整される、
請求項９に記載の電子鼻の較正方法。
【請求項１１】
ステップＣ）またはステップＥ）で実行される測定が、０．１秒から６０分の間の期間にわたって実行され、次いで平均化される、
請求項９または１０に記載の電子鼻の較正方法。
【請求項１２】
ステップＦ）を実行する前に、Ｎを１以上の自然整数として、ステップＤ）およびステップＥ）がＮ回繰り返され、前記対象ガス状媒体の前記圧力、または必要に応じて、前記温度は、既に測定が行われている前記対象ガス状媒体の圧力、または必要に応じて、温度とは異なる、
請求項９〜１１のいずれか一項に記載の電子鼻の較正方法。
【請求項１３】
ステップＤ）において、
・前記対象ガス状媒体の前記圧力は、＋１０ｍｂａｒ以上＋２ｂａｒ以下、または−９００ｍｂａｒ以上−１０ｍｂａｒ以下の値に修正され、
および／または
・前記対象ガス状媒体の前記温度は、＋１℃以上＋１００℃以下、または−５０℃以上−１℃以下の値に修正される、
請求項９〜１２のいずれか一項に記載の電子鼻の較正方法。
【請求項１４】
ステップＦ）の直前に、前記対象ガス状媒体の前記圧力および／または温度を初前記期圧力Ｐ０／または初期温度Ｔ０で修正することからなる追加のステップが実施される、
請求項９〜１３のいずれか一項に記載の電子鼻の較正方法。
【請求項１５】
前記光学センサは、プラズモン効果センサ、または、屈折率測定法により動作可能なセンサから選択される、
請求項９〜１４のいずれか一項に記載の電子鼻の較正方法。
【請求項１６】
前記測定が、反射率の測定または透過率の測定である、
請求項３又は請求項１１に記載の電子鼻の較正方法。
【請求項１７】
前記測定が、１秒から１０分の間の期間にわたって実行される、
請求項３、１１又は請求項１６に記載の電子鼻の較正方法。
【請求項１８】
前記対象ガス状媒体の前記圧力は、＋５０ｍｂａｒ以上＋１５０ｍｂａｒ以下の値に修正される、
請求項６又は請求項１３に記載の電子鼻の較正方法。
【請求項１９】
前記対象ガス状媒体の前記圧力は、−１５０ｍｂａｒ以上−５０ｍｂａｒ以下の値に修正される、
請求項６又は請求項１３に記載の電子鼻の較正方法。
【請求項２０】
前記対象ガス状媒体の前記温度は、＋５℃以上＋１５℃以下の値に修正される、
請求項６，１３，１８，又は１９に記載の電子鼻の較正方法。
【請求項２１】
前記対象ガス状媒体の前記温度は、−１５℃以上−５℃以下の値に修正される、
請求項６，１３，１８，又は１９に記載の電子鼻の較正方法。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
（ａ）励起源からの光をウェルのアレイのうちの複数のウェルに向けるように構成された照明アセンブリであって、
前記複数のウェルの各ウェルは細胞を受け入れるように構成され、
前記励起源からの光の少なくとも一部は前記複数のウェルの各ウェルの少なくとも一部を照明して少なくとも部分的に照明されたウェルを形成する、照明アセンブリと、
（ｂ）（ｉ）前記複数のウェルの各ウェルから信号を収集し、前記複数のウェルの各ウェルからの信号の収集は実質的に並行して行われ、
（ｉｉ）前記複数のウェルの各ウェルから前記信号を対応する検出器に転送し、レンズは前記複数のウェルの各ウェルからの前記信号の少なくとも一部を前記対応する検出器に集束させるように構成され、前記転送は実質的に並行して行われ、前記複数のウェルの各ウェルからの信号の少なくとも一部は独立した検出器に転送される、ように構成された検出アセンブリと、
を含み、
約１００ヘルツ（Ｈｚ）より大きい、前記複数のウェルにわたる信号のサンプリングレートを含む、
システム。
【請求項２】
前記複数のウェルのうちの各ウェルからの前記信号の収集は同時に行われる、請求項１に記載のシステム。
【請求項３】
前記複数のウェルの各ウェルからの２つ以上の信号の収集が実質的に並行して行われる、
請求項１に記載のシステム。
【請求項４】
透過光を前記複数のウェルの各ウェルに供給するように構成される、
請求項１に記載のシステム。
【請求項５】
前記検出アセンブリは、透過光の入射経路と実質的に平行な軸に沿って前記複数のウェルの各ウェルから信号を収集するように構成される、
請求項１に記載のシステム。
【請求項６】
前記検出器は光学検出器である、
請求項１に記載のシステム。
【請求項７】
前記信号は前記検出器によって電流信号に変換される、
請求項１に記載のシステム。
【請求項８】
前記サンプリングレートは、約５００Ｈｚから約１２，０００Ｈｚである、
請求項１に記載のシステム。
【請求項９】
前記検出アセンブリは信号収集光学系を含み、前記信号収集光学系の開口数は約０．２から約０．８である、
請求項１に記載のシステム。
【請求項１０】
前記照明アセンブリは励起光学系を含み、前記複数のウェルのそれぞれへの前記励起光学系の焦点距離は、前記複数のウェルのうちの対応するウェルから前記信号を収集する前記信号収集光学系の焦点距離よりも長い、
請求項９に記載のシステム。
【請求項１１】
前記照明アセンブリは２つ以上の励起源を含む、
請求項１に記載のシステム。
【請求項１２】
前記励起源は、前記複数のウェルのうちの１つまたは複数のウェルに約５ミリワット／平方ミリメートル（ｍＷ／ｍｍ２）を超える光強度を提供する、
請求項１に記載のシステム。
【請求項１３】
前記信号は前記複数のウェルの各ウェルから対応する検出器に転送される、
請求項１に記載のシステム。
【請求項１４】
前記対応する検出器はフォトダイオードを含む、
請求項１に記載のシステム。
【請求項１５】
前記フォトダイオードは、ｐ−ｉ−ｎ（ＰＩＮ）フォトダイオード、ｐ−ｎ（ＰＮ）フォトダイオード、アバランシェフォトダイオード、ショットキーフォトダイオード、またはそれらの任意の組み合わせを含む、
請求項１４に記載のシステム。
【請求項１６】
前記フォトダイオードは、蛍光、燐光、発光、またはそれらの任意の組み合わせを検出する、
請求項１４に記載のシステム。
【請求項１７】
前記検出アセンブリは複数の対応する検出器を含む、
請求項１に記載のシステム。
【請求項１８】
複数のレンズと複数の検出器とをさらに含み、前記複数の検出器の各検出器は前記複数のレンズのうちの１つのレンズに動作可能に接続されている、
請求項１に記載のシステム。
【請求項１９】
照明アセンブリおよび検出アセンブリを含むシステムであって、
（ａ）ウェルのアレイのうちの複数のウェルに光を向け、
（ｂ）前記複数のウェルの各ウェルから信号を実質的に並行して収集し、
（ｃ）各信号を実質的に並行して対応する検出器に転送する、
ように構成され、
約１００ヘルツ（Ｈｚ）より大きい前記複数のウェルにわたる前記信号のサンプリングレートを有する、
システム。
【請求項２０】
前記複数のウェルの各ウェルからの前記信号の収集および転送は同時に行われる、
請求項１９に記載のシステム。
【手続補正書】
【提出日】令和3年3月4日(2021.3.4)
【手続補正１】
【補正対象書類名】明細書
【補正対象項目名】０００２
【補正方法】変更
【補正の内容】
【０００２】
液体クロマトグラフィ（ＬＣ）は、分子を分離することによって溶液中の化学物質の含有量を分析し、同定するために行われる。しかしながら、通常、使用される検出方法は光吸収によるものであるため、ＬＣが分子を確実に同定する能力は限定される。この理由により、分子の同定の確実性を高めるために、より多くの情報を提供する検出機器、例えば質量分析器（ＭＳ）等を使用するか、または追加の相補的な分析方法を使ってもよい。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００３／００８９６６３号明細書
（非特許文献）
（非特許文献１）  ＳＨＡＲＭＡ，  Ｈａｎｄ−ｐｏｒｔａｂｌｅ  Ｃａｐｉｌｌａｒｙ  Ｌｉｑｕｉｄ  Ｃｈｒｏｍａｔｏｇｒａｐｈｙ  Ｉｎｓｔｒｕｍｅｎｔａｔｉｏｎ，Ｄｉｓｓｅｒｔａｔｉｏｎ，ＢＹＵ  ＳｃｏｌａｒｓＡｒｃｈｉｖｅ，０１  Ｄｅｃｅｍｂｅｒ  ２０１５  ［ｒｅｔｒｉｅｖｅｄ  ｏｎ  ０６  Ａｐｒｉｌ  ２０１８］．Ｒｅｔｒｉｅｖｅｄ  ｆｒｏｍ  ｔｈｅ  Ｉｎｔｅｒｎｅｔ：  ＜ＵＲＬ：  ｈｔｔｐｓ：／／ｓｃｈｏｌａｒｓａｒｃｈｉｖｅ．ｂｙｕ．ｅｄｕ／ｅｔｄ／６１６４＞  Ａｂｓｔｒａｃｔ，Ｐｇｓ．１−４，２３−２６，４６，６９−８１，９５−１１３
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
貫通するように形成されている開口を備えるプレート部材と、
前記プレート部材に連結された第１端部、及び前記第１端部と反対側の第２端部を有するシェル部材と、
前記シェル部材の内側に配置されるバイアス部材と、
前記バイアス部材の一部を受容するように構成されている肩部を有するナットとを備えるナットプレートアセンブリであって、
前記ナットは、前記シェル部材の内側に配置され、前記シェル部材の前記第１端部に近い第１位置と、前記シェル部材の前記第２端部に近い第２位置との間を移動可能であり、
前記バイアス部材は、前記第１位置と前記第２位置のいずれか一方に前記ナットを付勢するように構成されており、
前記ナットプレートアセンブリは、
前記シェル部材の内側に前記ナットを保持するように構成されている保持部材を備える、ことを特徴とするナットプレートアセンブリ。
【請求項２】
前記シェル部材は、
前記第１端部に第１開口部を形成し、
前記第２端部に第２開口部を形成し、
前記第１開口部と前記第２開口部以外の開口部を実質的に有していないことを特徴とする請求項１に記載のナットプレートアセンブリ。
【請求項３】
前記シェル部材は、前記第１端部から前記第２端部に向かう軸周りに伸びる壁部を備えており、
前記壁部は、前記ナットに係合し、前記ナットの前記軸周りの回転を防止するように構成されていることを特徴とする請求項２に記載のナットプレートアセンブリ。
【請求項４】
前記ナットは、前記壁部に係合するように構成されているフランジを含むことを特徴とする請求項３に記載のナットプレートアセンブリ。
【請求項５】
前記シェル部材は、前記フランジの断面形状に対応する断面形状を有することを特徴とする請求項４に記載のナットプレートアセンブリ。
【請求項６】
前記フランジは、前記フランジの周りで伸びる複数の平坦な側面を含んでおり、
前記複数の平坦な側面は前記壁部に係合するように構成されていることを特徴とする請求項４に記載のナットプレートアセンブリ。
【請求項７】
前記保持部材は、前記シェル部材と前記ナットに係合するように構成されているクリップを備えることを特徴とする請求項１に記載のナットプレートアセンブリ。
【請求項８】
前記シェル部材は、前記クリップの一部を受容するように構成されている少なくとも１つの溝を形成することを特徴とする請求項７に記載のナットプレートアセンブリ。
【請求項９】
前記クリップは、
前記クリップが前記開口を通して取り付けられるときの第１位置と、前記クリップが前記開口よりも大きいときの第２位置の間に位置できて、
前記クリップが前記シェル部材の内側の前記第２位置に配置されているとき、前記シェル部材と前記ナットに係合することを特徴とする請求項８に記載のナットプレートアセンブリ。
【請求項１０】
前記プレート部材と前記シェル部材は単一の部品として一体化して形成されていることを特徴とする請求項１に記載のナットプレートアセンブリ。
【請求項１１】
前記ナットプレートアセンブリは、前記プレート部材と前記ナットを通過する締結部を備えており、
前記締結部は前記ナットにねじ締めできることを特徴とする請求項１に記載のナットプレートアセンブリ。
【請求項１２】
前記ナットは本体とフランジを備えており、
前記フランジは、前記本体の周りに伸びて、前記シェル部材に係合するように構成されていることを特徴とする請求項１に記載のナットプレートアセンブリ。
【請求項１３】
前記フランジの形状は、三角形、長方形、台形、五角形、六角形、七角形、八角形、九角形、十角形、十二角形、及び星形の少なくともいずれかであることを特徴とする請求項１２に記載のナットプレートアセンブリ。
【請求項１４】
ナットプレートアセンブリを組み立てる方法であって、
前記方法は、
シェル部材の内側にバイアス部材を配置することを備えており、
前記シェル部材は、プレート部材に連結された第１端部、及び前記第１端部と反対側の第２端部を有しており、
前記プレート部材は、前記プレート部材を貫通するように形成されている開口を含んでおり、
前記方法は、
前記シェル部材の内側にナットを配置することを備えており、
前記ナットは、前記バイアス部材の一部を受容するように構成されている肩部を含み、前記シェル部材の前記第１端部に近い第１位置と、前記シェル部材の前記第２端部に近い第２位置との間を移動可能であり、
前記バイアス部材は、前記第１位置と前記第２位置のいずれか一方に前記ナットを付勢するように構成されており、
前記シェル部材の内側で前記ナットを保持するため、前記シェル部材と前記プレート部材の少なくともいずれかに保持部材を連結することを備える方法。
【請求項１５】
前記方法は、前記シェル部材の内側に前記保持部材を配置することを備えており、
前記保持部材は、前記保持部材が前記開口を通して取り付けられるときの第１位置と、前記保持部材が前記シェル部材から前記ナットの取り外しを防止するときの第２位置との間に位置し得ることを特徴とする請求項１４に記載の方法。
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
抗原ＴＮＣ−ＦＮ  ＩＩＩ−Ｃ、ＴＦＰＩ、及びＣＡ１９−９の発現を計測するためのインビトロアッセイであって、
（ａ）複数の抗原を抗ＴＮＣ−ＦＮ  ＩＩＩ−Ｃ抗体、抗ＴＦＰＩ抗体、及び抗ＣＡ１９−９抗体に接触させて抗原抗体複合体を形成すること；及び
（ｂ）前記抗体の各々に個別的に結合する検出可能部分を使用して前記抗原抗体複合体を検出することであって、それにより前記抗原ＴＮＣ−ＦＮ  ＩＩＩ−Ｃ、ＴＦＰＩ、及びＣＡ１９−９の発現を計測すること
を含むアッセイ。
【請求項２】
（ａ）前記複数の抗原が試料から入手され、好ましくは、
（ｉ）前記生体試料が、手術標本又は生検標本、パラフィン包埋組織、凍結組織インプリント、末梢血、尿、又は穿刺吸引物であるか、又は
（ｉｉ）前記試料が血液試料であり、好ましくは、前記血液試料が血漿試料であるか、又は
（ｉｉｉ）前記生体試料が、がんのリスクがある対象又は遺伝性がんの家族歴を有する者から入手されるか、又は前記生体試料が５０歳超の対象から入手され、より好ましくは前記対象が以前にがんと診断されたことがなく、さらにより好ましくは前記対象が糖尿病及び／又は慢性膵炎の検査を受けたことがなく、または前記対象が糖尿病及び／又は慢性膵炎を有しないと確定されている、又は
（ｂ）計測することが、前記３つの抗原の各々の発現を対照試料における発現と比較することを含み、好ましくは前記対照試料が健常対象から単離されるか、又は前記対照試料が良性疾患対象から単離される、
請求項１に記載の方法。
【請求項３】
前記対象が以前にがんと診断されたことがなく、好ましくは前記対象が糖尿病及び／又は慢性膵炎の検査を受けたことがなく、または前記対象が糖尿病及び／又は慢性膵炎を有しないと確定されている、請求項２に記載の方法。
【請求項４】
検出することが、酵素結合免疫吸着アッセイ（ＥＬＩＳＡ）を実施することとして更に定義され、好ましくは１、２、又は３つのＥＬＩＳＡが実施され、より好ましくは前記ＥＬＩＳＡがサンドイッチＥＬＩＳＡであり、さらにより好ましくは前記サンドイッチＥＬＩＳＡがマルチプレックスＥＬＩＳＡであり、ここでは２又は３つの抗原が同時に検出される、請求項１に記載の方法。
【請求項５】
ステップ（ａ）の前記抗体が表面にコンジュゲートされ、
好ましくは、ステップ（ａ）後に洗浄して、抗原抗体複合体になっていない抗原を除去することを更に含み、
より好ましくは、前記洗浄ステップの後に前記３つの抗原の各々に特異的な検出抗体を加えることを更に含み、
さらにより好ましくは、前記検出抗体がビオチン化され、
最も好ましくは、検出することが、ストレプトアビジンコンジュゲートフルオロフォアを加えること、及び前記フルオロフォアを計測することを含む、
請求項１に記載の方法。
【請求項６】
前記試料が希釈されていない、又は前記試料が少なくとも５０倍希釈される、請求項１〜５のいずれか一項に記載の方法。
【請求項７】
前記検出可能部分が、ステップ（ａ）の前に前記抗体に結合され、
好ましくは、
（ｉ）前記検出可能部分が、蛍光プローブ、放射性プローブ、又は光増感剤を含み、
より好ましくは、前記蛍光プローブが、インドシアニングリーン（ＩＣＧ）、フルオレセインイソチオシアネート（ｆｌｕｏｒｅｓｃｅｉｎｅ  ｉｓｏｔｈｉｏｃｙａｎａｔｅ）（ＦＩＴＣ）、及び／又はＩＲＤｙｅ８００を含むか、又は
（ｉｉ）前記抗体に結合した前記検出可能部分が、光学イメージング、超音波、磁気共鳴画像法（ＭＲＩ）、陽電子放射断層撮影法（ＰＥＴ）、単一光子放射型コンピュータ断層撮影法（ＳＰＥＣＴ）、又は光線療法によって検出される、
請求項１に記載の方法。
【請求項８】
前記複数の抗原が組織に含まれ、好ましくは、前記組織が腫瘍であるか、又は前記組織がヒト組織である、請求項１に記載の方法。
【請求項９】
計測することが、前記３つの抗原の各々の発現を対照試料における発現と比較することを含み、
好ましくは、前記対照試料が健常対象から単離されるか、又は前記対照試料が良性疾患対象から単離される、
請求項１に記載の方法。
【請求項１０】
対照試料と比較したときの前記３つの抗原の発現の増加ががん又は前駆病変の存在を示し、
好ましくは、
（ｉ）前記がんが膵がんであり、より好ましくは前記膵がんが早期膵がんであり、さらにより好ましくは前記早期膵がんがステージＩ又はステージＩＩ膵がんであり、最も好ましくは前記ステージＩＩ膵がんがステージＩＩＡ又はステージＩＩＢ膵がんであり、又は
（ｉｉ）前記前駆病変が膵がん前駆病変（ＰａｎＩＮ）である、
請求項１に記載の方法。
【請求項１１】
前記アッセイの特異度が少なくとも０．８であるか、又は前記アッセイの正確度が少なくとも０．７であるか、又は膵がんに関する画像診を実施することを更に含む、請求項１０に記載の方法。
【請求項１２】
抗原ＴＮＣ−ＦＮ  ＩＩＩ−Ｃ、ＴＦＰＩ、及びＣＡ１９−９に特異的な一組の抗体を含む膵がん検出用キット。
【請求項１３】
（ａ）生体試料を抗ＴＮＣ−ＦＮ  ＩＩＩ−Ｃ抗体、抗ＴＦＰＩ抗体、及び抗ＣＡ１９−９抗体に接触させること；及び
（ｂ）前記試料への前記抗ＴＮＣ−ＦＮ  ＩＩＩ−Ｃ抗体、抗ＴＦＰＩ抗体、及び抗ＣＡ１９−９抗体の結合を検出することを含むがん細胞のインビトロ検出方法であって、対照と比較したときの前記３つの抗原の発現増加ががん細胞の存在を示す、方法。
【請求項１４】
前記生体試料が、手術標本又は生検標本、パラフィン包埋組織、凍結組織インプリント、末梢血、尿、又は穿刺吸引物である、請求項１３に記載の方法。
【請求項１５】
（ｉ）前記試料が血液試料であり、好ましくは前記血液試料が血漿試料であり、又は
（ｉｉ）前記生体試料が、がんのリスクがある対象又は遺伝性がんの家族歴を有する者から入手されるか、又は、
（ｉｉｉ）前記生体試料が５０歳超の対象から入手され、
好ましくは、前記対象が以前にがんと診断されたことがなく、より好ましくは前記対象が糖尿病及び／又は慢性膵炎の検査を受けたことがないか、前記対象が糖尿病及び／又は慢性膵炎を有しないと確定されている、
請求項１３に記載の方法。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
構造式：
【化１】
2020509095.tif 000001
の化合物または薬学的に許容されるその塩と、少なくとも１つの親油性賦形剤を含む親油性ビヒクルとを含み、該化合物または薬学的に許容されるその塩が可溶である、製剤。
【請求項２】
少なくとも１つの親油性賦形剤が、脂質賦形剤および界面活性剤を含む、請求項１に記載の製剤。
【請求項３】
脂質賦形剤がモノグリセリド、ジグリセリド、および／またはトリグリセリド、好ましくは少なくとも１つのリノール酸グリセロールを含む、請求項１または２に記載の製剤。
【請求項４】
界面活性剤が少なくとも１つのラウリン酸マクロゴール−３２グリセリルを含む、請求項１〜３のいずれか１項に記載の製剤。
【請求項５】
化合物が塩酸塩、脂肪酸カルボキシレート塩、またはオレエート塩である、請求項１〜４のいずれか１項に記載の製剤。
【請求項６】
緩衝剤、好ましくは弱塩基または脂溶性もしくは部分脂溶性カルボン酸塩をさらに含む、請求項１〜５のいずれか１項に記載の製剤。
【請求項７】
脂溶性カルボン酸塩が、カプリル酸、カプリン酸、ラウリン酸、ステアリン酸、ミリストレイン酸、リノール酸、リノレン酸、アラキドン酸、エイコセン酸、パルミトレイン酸、サピエン酸、オレイン酸、エライジン酸および／またはバクセン酸のナトリウム、カリウム、マグネシウムおよび／またはカルシウム塩からなる群から選択される少なくとも１つである、請求項６に記載の製剤。
【請求項８】
弱塩基がオレイン酸ナトリウムを含む、請求項６に記載の製剤。
【請求項９】
４０℃の温度および７５％の相対湿度で１週間、３週間、３ヶ月間または６ヶ月間保存した後での製剤中の化合物または薬学的に許容されるその塩の量が約２％未満で減少する、請求項１〜８のいずれか１項に記載の製剤。
【請求項１０】
製剤のｐＨが約ｐＨ４〜約ｐＨ８、好ましくは約ｐＨ５〜約ｐＨ７である、請求項１〜９のいずれか１項に記載の製剤。
【請求項１１】
安定化剤をさらに含む、請求項１〜１０のいずれか１項に記載の製剤。
【請求項１２】
安定化剤が抗酸化物質、好ましくは、クエン酸ナトリウム、ＢＨＴ（ブチル化ヒドロキシトルエン）、および／またはＢＨＡ（ブチル化ヒドロキシアニソール）を含む、請求項１１に記載の製剤。
【請求項１３】
安定化剤が、ビタミンＥ−ＴＰＧＳ（コハク酸Ｄ−α−トコフェリルポリエチレングリコール１０００）およびＥＤＴＡ（エチレンジアミン四酢酸）のうちの少なくとも１つである、請求項１１に記載の製剤。
【請求項１４】
４０℃の温度および７５％の相対湿度で１週間、３週間、３ヶ月間または６ヶ月間保存した後での製剤中の化合物の、または薬学的に許容されるその塩の量が約２％未満で減少する、請求項１〜１３のいずれか１項に記載の製剤。
【請求項１５】
製剤が半固体懸濁液である、請求項１〜１４のいずれか１項に記載の製剤。
【請求項１６】
自己乳化性であるか、および／または自己乳化性でない化合物の製剤と比べて、大きな経口生物学的利用能を有する、請求項１５に記載の製剤。
【請求項１７】
経口投与に適する、請求項１〜１６のいずれか１項に記載の製剤。
【請求項１８】
がん、好ましくは卵巣癌、乳癌、肺癌、神経膠芽腫、メラノーマ、膀胱癌、頭頸部癌、腎細胞癌、大腸癌、リンパ腫、白血病、多発性骨髄腫、肝細胞癌腫、高度の神経内分泌腫瘍、および／または肺癌などの小細胞癌腫の治療のための、請求項１〜１７のいずれか１項に記載の製剤の使用。
【請求項１９】
脂質賦形剤および／または界面活性剤を含む親油性ビヒクルと、構造式：
【化２】
2020509095.tif 000002
の化合物または薬学的に許容されるその塩とを混合することを含む、製剤を生産する方法。